(57)【要約】  裏側及び上側を有するフレーム（４）を具備するストラップバックルであって、そのフレームは、固定端（２）と、自由端（７）と、それらの２端同士の間に開口部（６）とを有し、そのサイドエッジは、ガイド（１０，１１）として設計され、自由端に隣接しているそのエッジは、カウンタエッジ（８）を形成し、ガイド上を移動できるように開口部内に配置される懸止手段（５）を具備するストラップバックル。引っ張る力が懸止手段の周りに在るストラップ（１８）に及ぼされるときに、懸止手段は（５）、間隙（１６）を有するようにガイド（１０，１１）上に設けられるので、ガイドに対して傾けられる。ストラップに荷重が印加されるとき、懸止手段（５）は、前記カウンタエッジ（８）と協力して、ストラップに抗して線圧を及ぼすために、フレームの自由端に向かって突出する縁部（１７）を有するように設計されるフレームの裏側に在る側の上にある。
2011515124.tif 000002
【特許請求の範囲】
【請求項１】
ストラップバックルであって、
裏側及び上側を有するフレーム（４）であって、
固定端（２）及び自由端（７）と、
その２つの端同士の間に、ガイド（１０，１１）として設計されるサイドエッジを有する、開口部（６）と、を有し、
自由端に隣接している方のエッジがカウンタエッジ（８）である
フレームと、
ガイドの上を移動できるように配置される、懸止手段（５）と
を具備し、
それにより、使用の際に、ストラップ（１８）が、ストラップバックルの裏側から懸止手段とカウンタエッジの反対側に在るフレーム内の開口部のエッジとの間に挿入され、懸止手段の上を通って、上側から下方に懸止手段とカウンタエッジとの間に挿入され、
ストラップ上の引っ張る力によって、ストラップは、カウンタエッジに対して懸止手段を引きつけ、それにより、把持力が、ストラップバックルからストラップが引き抜かれることを防ぐ
ストラップバックルにおいて、
引っ張る力が懸止手段の周りに在るストラップの上に及ぼされたとき、懸止手段（５）がガイドに対して傾けられるように、懸止手段（５）が間隙（１６）をもってガイド（１０，１１）の上に配置され、
ストラップに荷重が印加されたとき、前記カウンタエッジ（８）と共にストラップに抗して線圧を及ぼすように、フレームの裏側に在る側において懸止手段（５）が、フレームの自由端の方に突出する縁部（１７）を有するように設計される、
ストラップバックル。
【請求項２】
懸止手段（５）が、伸長体（１２）と、伸長体の各端部に設けられたガイド開口部（１３，１４）と、伸長体においてガイド開口部同士をつないでいるスロット（１５）とを有し、
スロットがフレーム上への懸止手段の取り付けのために拡大されることのできるように、ガイド開口部を形成する壁が柔軟性を有する、
請求項１に記載のストラップバックル。
【発明の詳細な説明】
【技術分野】
【０００１】
この発明は、特に子供用のベルト通しのためのストラップバックル(ｓｔｒａｐ  ｂｕｃｋｌｅ）に関する。
【背景技術】
【０００２】
ベルトバックル（ｂｅｌｔ  ｂｕｃｋｌｅ）であって、
裏側及び上側を有するそのフレームであって、
自由端と例えばベルト通しにしっかりと取り付けられる一方の端とを有し、
前記端同士の間にガイドの形で設計されたサイドエッジを有する略長方形の開口部を有し、
自由端に隣接しているエッジがカウンタエッジである
フレームと、
開口部内で移動できるようにガイドに配置される、懸止手段と
を具備するベルトバックルは、以前より既知である。
使用に際して、このストラップは、ストラップバックルの裏側から懸止手段とフレームの開口部内のカウンタエッジの反対側に在るエッジとの間に挿入され、懸止手段の上を通って、上側から下方へ懸止手段とカウンタエッジとの間に挿入され、ストラップ上の引っ張る力は、カウンタエッジに対して懸止手段を引きつけ、それにより、ストラップがストラップバックルから引き抜かれることから妨げる把持力を及ぼす。
【０００３】
フレームの自由端が持ち上げられたとき、カウンタエッジに抗する懸止手段の把持力は解かれ、ストラップは、緩められ、又は締付けられることができる。
【発明の概要】
【発明が解決しようとする課題】
【０００４】
把持力の結果、摩擦のためにストラップがストラップバックルによって懸止される。例えば、ベルト通しにおいて、詰め物を有する布帛で作られるストラップは、使い心地を快適にするために使用される。先行技術によるベルトバックルは、ストラップが新しいときには、通常の使用の間中は問題なく大体において機能する。それにもかかわらず、磨耗したストラップ、薄いストラップ、及び低摩擦係数を有する材料のストラップとの間でも、ストラップに極度な荷重が印加される場合においても、ストラップと、例えばベルト通しのためにそれと共に使用される物との安全な懸止作用が得られるように、ストラップバックルの安全性をさらに改良する必要がある。ストラップに極度な荷重が印加されることは、例えば、ストラップの磨耗時に子供がベルト通しからから逃れようと試みるとき、あるいはベルト通しがドアの取っ手又は類似の物体などの何らかに引っかかるようなことが予想される場合に、起こり得る。
【課題を解決するための手段】
【０００５】
この発明は、請求項１の特徴部に定義される特徴によってこの課題を解決する。この発明の発展は、下位の請求項において定義される。
【０００６】
この設計により、懸止する縁部に起因するストラップ上の把持力及び挟み効果が達成され、このことは、懸止要素がストラップを要素自体とフレームの開口にあるカウンタエッジとの間で把持したときに、達成される懸止効果を増幅する。何故ならば、引っ張られかつストラップが線圧によって開口部にあるストラップに懸止するときに、懸止手段とガイドとの間の間隙の結果、懸止手段が開口に向かって内側に傾くからである。その一方で、自由端が手動で持ち上げられるとき、懸止する縁部は、難なくストラップから取り外されることができ、ストラップは、通常のやり方で緩められることができる。さらに、フレームがその自由端を持ち上げることによってストラップに対して傾けられると同時に、ストラップが、ストラップの自由端に引っ張る力を及ぼすことによって通常のやり方で締付けられることも可能である。
【図面の簡単な説明】
【０００７】
【図１】この発明によるストラップバックルの上面図。
【図２】この発明の一実施形態による懸止手段の前面図。
【図３】この発明の一実施形態による懸止手段の裏面図。
【図４】図１においてＡ−Ａ線に沿った、この発明によるストラップバックルの断面図。
【図５】この発明によるストラップバックルの機能を示すための懸止手段の拡大断面図。
【発明を実施するための形態】
【０００８】
この発明のさらなる利点、目的及び特徴は、例としてこの発明の実施形態を示す、添付の図を参照して以下の詳細な記述により明らかになる。
【０００９】
上記において述べたように、この発明は、図１において参照番号１で全体的に示されるストラップバックルに関する。ストラップバックル１は、例えば図面に示されていないストラップを使用して、これも図面に示されていない乳幼児用のベルト通しに綴じられることができる。このようなストラップは、係着開口部２を通して輪のようになっている。このことは、図４において鎖線によって略示されている。
【００１０】
ストラップバックル１は、フレーム４及び懸止手段５からなる。フレーム４は、図１において詳細に示されないストラップのための入口開口部６を有する。フレーム４は、ストラップに対してフレームを傾けるのに用いられ得る自由端７を有する。入口開口部６は、フレームの自由端に隣接するカウンタエッジ８と、それに対し平行に走るエッジ９とによって画定される。開口部のサイドエッジ１０，１１は、懸止手段のためのガイドとして設計される。
【００１１】
図２において、懸止手段５の前面図は、断面として示されるガイド１０，１１と共に示される。懸止手段５は、伸長体１２と、各端部においてそれぞれにガイド開口部１３及び１４とを有する。スロット１５は、それぞれのガイド開口部１３，１４の間に延ばされる。スロットの目的は、ストラップバックルのフレーム上にガイド手段の取付けを可能にすることにある。図２に示すように、ガイド開口部１３，１４は、フレーム４に対して懸止手段５を傾けることを可能にするためにフレーム４のガイド１０，１１上に間隙１６をもって配置される。
【００１２】
図３において、懸止手段１５は下方から示され、ここには、フレームの裏側とほぼ同じ高さ位置に在る側において懸止手段が、突出する縁部１７を有することが示されている。
【００１３】
図４に、図１においてＡ−Ａ線に沿ったストラップバックルの断面図が示される。懸止手段５は、開口部６内で図中の両矢印で示されるように移動することができるように配置され、ストラップを懸止しない位置にある。ストラップは、鎖線１８で示され、ストラップバックルの裏側から上方へ懸止手段５の周りに、下方へ懸止手段５とカウンタエッジ８との間の開口部６を通過している。
【００１４】
図５に、ストラップバックルの部分拡大断面図が示され、懸止手段５は、カウンタエッジ８に向かう方向に動かされ、縁部１７は、引っ張る力がストラップ１８に印加されたときに、カウンタエッジ８に対して押圧され、それによりカウンタエッジに対してストラップ１８を繋締する。ガイド開口部１３，１４とガイド１０，１１との間にそれぞれ存在する間隙１６により、引っ張る力がストラップ１８に及ぼされたとき、懸止手段５は、図中の湾曲した両矢印で示されるように傾く。これにより、懸止手段５が傾けられるので、縁部はその制限エッジにおいて、ストラップに対して押圧され、それによりストラップに抗する線圧として示され得るものを及ぼす。これは、ストラップバックルにあるストラップの非常に確実な懸止作用をもたらす。
【００１５】
ストラップの非常に確実な懸止作用の実現と同時に、ストラップバックルはそれでも、片手でフレームの自由端を持ち上げることによって緩められることが非常に簡単である。
【００１６】
この発明は、上記により詳細に説明されたこの発明の実施形態に制限されない。したがって、懸止手段上に突出する縁部は、ストラップの懸止効果をさらに強化するために、歯のような突出を有するように設計されることができる。さらに、補完的な形状を有するカウンタエッジと協力して、使用されるストラップの確実な懸止作用をもたらすＶ字形又は任意の他の形状に、突出する縁部を設計することが考えられる。
【図１】
2011515124.tif 000003
【図２】
2011515124.tif 000004
【図３】
2011515124.tif 000005
【図４】
2011515124.tif 000006
【図５】
2011515124.tif 000007
【国際調査報告】
2011515124.tif 000008
2011515124.tif 000009
2011515124.tif 000010